(57)【要約】      （修正有）【課題】内管壁が破損しても被乾燥物が搬送通路を介して乾燥室側に搬送でき、長く使用できる乾燥機の搬送パイプを提供する。【解決手段】搬送パイプは、内管壁２１と外管壁２２とにより挟持空間２５を画成した２層構造をなしている。これによって、内管壁２１が、穴２６が形成されるまで破損しても、被乾燥物が穴２６を介して挟持空間２５に落下して穴２６の開口が閉塞されるまで堆積する。内管壁２１が破損しても被乾燥物が搬送通路２１１を介して乾燥室側に向かって順調に搬送されることができるので、搬送パイプ２が長く使用できる。【選択図】図３
0003195712.tif 000002
【実用新案登録請求の範囲】
【請求項１】
乾燥機において被乾燥物を搬送する搬送装置に用いられる搬送パイプであって、
前記被乾燥物が通過する搬送通路を画成するように延びて設けられた内管壁と、
前記内管壁とにより挟持スペースを画成するように延びて設けられた外管壁と、
前記内管壁と前記外管壁との前記搬送通路の一端同士及び他端同士をそれぞれ連結して、前記挟持スペースを密閉状に画成するように設けられた２つの端壁とを備えていることを特徴とする乾燥機の搬送パイプ。
【請求項２】
各前記端壁から前記搬送通路に沿う搬送方向に沿って、外向きに突き出る複数の継ぎ部材が更に設けられていることを特徴とする請求項１に記載の乾燥機の搬送パイプ。
【請求項３】
前記搬送パイプは、湾曲形状に曲げられていることを特徴とする請求項１又は２に記載の乾燥機の搬送パイプ。
【請求項４】
前記搬送パイプは、直線状に延びて形成されていることを特徴とする請求項１又は２に記載の乾燥機の搬送パイプ。
【考案の詳細な説明】
【技術分野】
【０００１】
本考案は、搬送パイプに関し、特には籾や麦等の主要穀物を乾燥する乾燥機に用いられる搬送パイプに関する。
【背景技術】
【０００２】
麦、稲等の穀物を乾燥室に投入して所定の含水率になるまで乾燥する乾燥機は従来から用いられている。従来の乾燥機には、例えば麦、稲等の穀物を乾燥室に搬送・投入する搬送装置が用いられ、この搬送装置において、穀物等の被乾燥物がファンによって吹かれて搬送パイプを介して搬送される。
【考案の概要】
【考案が解決しようとする課題】
【０００３】
従来装置において、乾燥物はファンによって吹かれながら搬送パイプを介して乾燥室に搬送される。ところが、搬送時間が長くなると、搬送パイプはその管壁が被乾燥物による衝撃を受けて傷付いて穴が開いて破損し、被乾燥物がそこから漏れる問題点がある。
【０００４】
本考案は、長く使用できる乾燥機の搬送パイプを提供することを目的とする。
【課題を解決するための手段】
【０００５】
上記目的を達成するために、本考案に係る乾燥機の搬送パイプは、乾燥機において被乾燥物を搬送する搬送装置に用いられるものであって、前記被乾燥物が通過する搬送通路を画成するように延びて設けられた内管壁と、前記内管壁とにより挟持スペースを画成するように延びて設けられた外管壁と、前記内管壁と前記外管壁との前記搬送通路の一端同士及び他端同士をそれぞれ連結して、前記挟持スペースを密閉状に画成するように設けられた２つの端壁とを備えていることを特徴とする。
【考案の効果】
【０００６】
本考案に係る搬送パイプは、内管壁と外管壁とにより挟持空間を画成した２層構造をなしているので、内管壁が、穴が形成されるまで破損しても、被乾燥物が穴を介して挟持空間に落下して穴の開口が閉塞するまで堆積する。従って、内管壁が破損しても被乾燥物が搬送通路を介して乾燥室側に向かって順調に搬送されることができ、搬送パイプが長く使用でき、即ちその長寿命化が図られる。
【図面の簡単な説明】
【０００７】
【図１】本考案に係る搬送パイプが用いられている搬送装置を備えた乾燥機を示す斜視図である。
【図２】本考案に係る搬送パイプの第１の実施の形態を示す一部破断斜視図である。
【図３】図２の搬送パイプの側面断面図である。
【図４】本考案に係る搬送パイプの第２の実施の形態を示す一部破断斜視図である。
【図５】図４の搬送パイプの側面断面図である。
【考案を実施するための形態】
【０００８】
以下、本考案に係る乾燥機の搬送装置に用いられる搬送パイプについて、添付した図面を参照して具体的に説明する。
図１は、本考案に係る搬送パイプが用いられている搬送装置を備えた乾燥機を示す斜視図である。図中、１００は乾燥機の被乾燥物を一時貯留するための略直方体形状のタンク、１はタンク１００から被乾燥物を例えば乾燥機の乾燥室に搬送する搬送装置、２は搬送装置１に用いられる搬送パイプである。搬送装置１は、タンク１００から被乾燥物を搬送パイプ２に搬入する一端である搬入端部１１と、搬入端部１１を経て搬送パイプ２を介して被乾燥物を乾燥機側に搬出する他端である搬出端部１２とを有し、搬入端部１１には、外部から空気を吸い込んで搬送パイプ２に送り出す送風機１３が設けられている。
【０００９】
次に、搬送装置に用いられる本考案に係る搬送パイプについて、添付した図面を参照して説明する。なお、各図面に示される同一又は同等の構成部材には、同一の符号を付するものとし、適宜重複した説明は省略する。
【００１０】
（第１の実施の形態）
図２は、第１の実施の形態に係る搬送パイプ２を、その一部を破断して示す斜視図であり、図３は、図２の側面断面図である。搬送パイプ２は、被乾燥物が搬入端部１１から搬出端部１２に向かって通過する中空状搬送通路２１１を画成するように延びて設けられた内管壁２１と、内管壁２１とにより挟持スペース２５を画成するように延びて設けられた外管壁２２と、挟持スペース２５を密閉状に画成するように内管壁２１と外管壁２２との搬入端部１１寄りの端部同士及び搬出端部１２寄りの端部同士をそれぞれ連結して設けられた端壁２３，２３とを備えている。
【００１１】
各端壁２３は、内管壁２１と外管壁２２との搬送通路の両端それぞれと連結して、挟持スペース２５を密閉状に画成するように設けられ、各端壁２３から搬送通路２１１に沿う搬送方向に沿って外向きに、搬入端部１１及び搬出端部１２に向かって突き出る複数の継ぎ部材２４が設けられている。複数の継ぎ部材２４は、搬送通路２１１の各端壁２３に形成された開口の周部において、互いに所定の間隔をあけて配置されている。搬送パイプ２は、継ぎ部材２４によって、搬入端部１１と搬出端部１２とに継ぎ合わせて連結されている。
【００１２】
なお、この実施の形態では、搬送パイプ２は、タンク１００から乾燥室に搬送するのに適用されるように、例えば湾曲形状に曲げられている。
【００１３】
次に、上記のように構成された本考案に係る搬送パイプ２の動作及び作用について説明する。
使用時、本考案に係る搬送パイプ２は、継ぎ部材２４によってタンク１００及び乾燥室の間に連結されて搬送装置１に用いられる。タンク１００から被乾燥物が搬入端部１１を経て搬送パイプ２側に搬入されながら、送風機１３によって搬送パイプ２内に吹き込まれる。
【００１４】
送風機１３の送風によって吹き込まれた被乾燥物が、内管壁２１に衝突しながら搬送されるので、搬送パイプ２を使用する時間が経つにつれ、内管壁２１は、被乾燥物の送入による衝撃と被乾燥物の重力落下による衝撃を受けて摩損する場合がある。摩損が進むと遂には穴２６が形成されて、内管壁２１が破損する。しかしながら、被乾燥物が穴２６を介して挟持空間２５に入り込んで、穴２６付近の挟持空間２５に充満する。その結果、穴２６の開口が閉塞される。これによって、被乾燥物は穴２６が閉塞された搬送通路２１１を介して、乾燥室側に向かって順調に搬送されることができる。
【００１５】
このように本考案に係る搬送パイプ２は、内管壁２１と外管壁２２とにより挟持空間２５を画成した２層構造をなしているので、仮に内管壁２１が、穴２６が形成される程度まで破損しても、被乾燥物が穴２６を介して挟持空間２５に落下して穴２６の開口が閉塞されるまで堆積する。これによって、内管壁２１が破損しても被乾燥物が搬送通路２１１を介して乾燥室側に向かって順調に搬送されることができる。従って、搬送パイプ２は長く使用でき、このように長寿命化を図ることで、取替える回数を減らすことができ、コストの低減を図ることができる。
【００１６】
（第２の実施の形態）
図４は、本考案の第２の実施の形態に係る搬送パイプを、その一部を破断して示す斜視図であり、図５は、図４の側面断面図である。この実施の形態に係る搬送パイプ２Ａは概ね、上記の第１の実施の形態の構成と同じであり、内管壁２１と外管壁２２とにより挟持空間２５を画成した２層構造をなしているが、第１の実施の形態の湾曲形状と違って、直線状に延びて形成されている。
【００１７】
第２の実施の形態に係る搬送パイプ２Ａは、タンク１００から被乾燥物が搬入端部１１を経て搬送パイプ２Ａ側に搬入されながら、送風機１３によって搬送パイプ２Ａ内に吹き込まれる。
【００１８】
送風機１３の送風によって吹き込まれた被乾燥物が、内管壁２１に衝突しながら搬送されるので、搬送パイプ２Ａを使用する時間が経つにつれ、内管壁２１は被乾燥物の送風による衝撃及び被乾燥物の重力落下による衝撃を受けて摩損する場合がある。摩損が進むと遂には穴２６が形成されて、内管壁２１が破損する。しかしながら、被乾燥物が穴２６を介して挟持空間２５に入り込んで、穴２６付近の挟持空間２５に充満する。その結果、穴２６の開口が閉塞される。これによって、被乾燥物は穴２６が閉塞された搬送通路２１１を介して、乾燥室側に向かって順調に搬送されることができる。従って、この第２の実施の形態に係る搬送パイプ２Ａは、第１の実施の形態の搬送パイプ２と同じく長期間使用できる。
【００１９】
以上の説明のように本考案に係る搬送パイプ２，２Ａは、内管壁２１と外管壁２２とにより挟持空間２５を画成した２層構造をなしているので、被乾燥物による衝撃を受けて内管壁２１が破損しても、被乾燥物の穴２６付近の挟持空間２５を、穴２６を介して入り込んだ被乾燥物によって充満して穴２６を閉塞することができるので、被乾燥物を順調に搬出することができる。従って、搬送パイプ２，２Ａをすぐに取り替えることなく、長期間使用でき、また、コストの節減を図ることができる。
【００２０】
また、搬送パイプ２，２Ａのとりわけ穴２６付近の挟持空間２５には被乾燥物が堆積して充満しているので、搬送パイプ２，２Ａの構造強度を高めることができる。また、搬送パイプ２，２Ａは、継ぎ部材２４によって搬入端部１１及び搬出端部１２と連結されているので、搬送パイプ２，２Ａを取り替える場合、少しだけ外力をかければ簡単に外すことができる。従って、補修が簡単に済み、コストの節減を図ることができる。
このように本考案に係る搬送パイプは、乾燥機の搬送装置に用いられる搬送パイプに有用である。
【符号の説明】
【００２１】
１  搬送装置、１１  搬入端部、１２  搬出端部、１３  送風機、２，２Ａ  搬送パイプ、２１  内管壁、２１１  搬送通路、２２  外管壁、２３  端壁、２４  継ぎ部材、２５  挟持空間、２６  穴、１００  タンク。
【図１】
0003195712.tif 000003
【図２】
0003195712.tif 000004
【図３】
0003195712.tif 000005
【図４】
0003195712.tif 000006
【図５】
0003195712.tif 000007